(57)【要約】  本発明はユーザの気分または心理状態に関する情報を含むＱＲコードを生成して提供し、前記ＱＲコードを認識してユーザの感性状態に合わせた個人向けコンテンツのリストを提供するためのものであり、本発明は上述した実情を踏まえて案出されたものであって、本発明が解決しようとする課題はユーザの気分または心理状態に関する情報を含むＱＲコードを生成して提供し、前記ＱＲコードを認識してユーザの感性状態に合わせた個人向けコンテンツのリストを提供するための個人向けコンテンツ提供システムを提供することにある。それによって、ユーザはコンテンツの選択に関する悩みが減り、自らの最近の気分や心理状態に最適化されたコンテンツを選択することでより満足的な余暇生活を楽しむことができ、理性及び感性を癒すことができる。【選択図】図２
2017504131.tif 000002
【特許請求の範囲】
【請求項１】
ウェブサイトまたはアプリケーションを介してユーザ端末からユーザの現在の気分または心理状態を示す自己表現指標を入力されて貯蔵する情報収集部と、前記貯蔵された自己表現指標に基づいてユーザの要請による一定期間に対する感性指数を算出する指数算出部と、前記算出された感性指数が挿入されたＱＲコードを生成するコード生成部を含むサーバと、
ユーザに提供されるコンテンツリストが貯蔵されるデータベースと、
前記ＱＲコードに挿入された感性指数を抽出するコード認識部と前記データベースを検索して前記抽出された感性指数に対応するお勧めコンテンツリストを提供するリスト提供部を含むサービス端末と、を含むことを特徴とする感性ＱＲコードを利用した個人向けコンテンツ提供システム。
【請求項２】
前記自己表現指標は色及び点数であることを特徴とする請求項１に記載の感性ＱＲコードを利用した個人向けコンテンツ提供システム。
【請求項３】
前記コンテンツは映画、音楽、書籍、ファッションまたはグルメである請求項１に記載の感性ＱＲコードを利用した個人向けコンテンツ提供システム。
【請求項４】
前記情報収集部は予め設定された周期に応じてユーザ端末に自己表現指標の入力を要請するためのアラームを伝送することを特徴とする請求項２に記載の感性ＱＲコードを利用した個人向けコンテンツ提供システム。
【請求項５】
前記指数算出部は一定期間の間に最も多く入力された色と入力された点数の平均に基づいて感性指数を算出することを特徴とする請求項２に記載の感性ＱＲコードを利用した個人向けコンテンツ提供システム。
【請求項６】
前記データベースは貯蔵されたコンテンツリストを入力可能な色及び入力可能な点数を一定点数単位に分けた区間にマッチングして貯蔵することを特徴とする請求項５に記載の感性ＱＲコードを利用した個人向けコンテンツ提供システム。
【発明の詳細な説明】
【技術分野】
【０００１】
本発明は個人向けコンテンツ提供システムに関するものであり、より詳しくは、ユーザの気分または心理状態に関する情報を含むＱＲコードを利用して個人向けコンテンツを提供するシステムに関するものである。
【背景技術】
【０００２】
ユビキタス技術の発展につれ個々人の成功と状況に合わせた個人化サービスに対する要求が増加しており、このような要求に応えてユーザの個性と状況に合わせた個人化サービスに関して多様な研究が進行されている。
【０００３】
一例として、特許文献１には多様化された、そして可変する顧客の関心事項に応じて顧客が現在の時点で選択しようとする適合した商品を案内する商品お勧めサービスの提供方法及びその装置が開示されている。
【先行技術文献】
【特許文献】
【０００４】
【特許文献１】公開特許１０−２０１４−００７３２５６号
【発明の概要】
【発明が解決しようとする課題】
【０００５】
しかし、前記のような商品お勧めサービスの提供方法は登録されたキーワードを中心に単にユーザの関心事のみを基準にお勧めサービスが行われるため、ユーザの気分や心理状態などの完成情報を考慮する必要がある映画や書籍、音楽などのお勧めに関してはユーザの満足を完全に引き出すことが難しい実情である。
【０００６】
本発明は上述した実情を踏まえて案出されたものであり、本発明が解決しようとする課題は、ユーザの気分または心理状態に関する情報を含むＱＲコードを生成して提供し、前記ＱＲコードを認識してユーザの感性状態に合わせた個人向けコンテンツのリストを提供するための個人向けコンテンツを提供するシステムを提供することにある。
【課題を解決するための手段】
【０００７】
上述した課題を解決するための本発明による感性ＱＲコードを利用した個人向けコンテンツ提供システムは、ウェブサイトまたはアプリケーションを介してユーザ端末からユーザの現在の気分または心理状態を示す自己表現指標を入力されて貯蔵する情報収集部と、前記貯蔵された自己表現指標に基づいてユーザの要請による一定期間に対する感性指数を算出する指数算出部と、前記算出された感性指数が挿入されたＱＲコードを生成するコード生成部を含むサーバと、ユーザに提供されるコンテンツリストが貯蔵されるデータベースと、前記ＱＲコードに挿入された感性指数を抽出するコード認識部と前記データベースを検索して前記抽出された感性指数に対応するお勧めコンテンツリストを提供するリスト提供部を含むサービス端末と、を含む。
【０００８】
前記自己表現指標は色及び点数であり、前記コンテンツは映画、音楽、書籍、ファッションまたはグルメである。
【０００９】
前記情報収集部は予め設定された周期に応じてユーザ端末に自己表現指標の入力を要請するためのアラームを伝送し、前記指数算出部は一定期間の間に最も多く入力された色と入力された点数の平均に基づいて感性指数を算出し、前記データベースは貯蔵されたコンテンツリストを入力可能な色及び入力可能な点数を一定点数単位に分けた区間にマッチングして貯蔵する。
【発明の効果】
【００１０】
本発明によると、ユーザはコンテンツの選択に関する悩みが減り、自らの最近の気分や心理状態に最適化されたコンテンツを選択することでより満足的な余暇生活を楽しむことができ、理性及び感性を癒すことができる。
【図面の簡単な説明】
【００１１】
【図１】本発明による感性ＱＲコードを利用した個人向けコンテンツ提供システムを説明するための概念図である。
【図２】本発明によるシステムの細部構成を示すブロック図である。
【図３】本発明の実施例による感性ＱＲコードを利用した個人向けコンテンツ提供過程を示すフローチャートである。
【発明を実施するための形態】
【００１２】
本発明を説明するに当たって、関連する公知機能または構成に関する具体的な説明が本発明の要旨を不明確にする恐れがあると判断される場合にはその詳細な説明を省略しており、明細書全体にわたって同じ部分に対しては同じ図面符号を使用している。
【００１３】
そして、本明細書で使用される用語は本発明の好ましい実施例を適切に表現するために使用される用語であって、これはユーザ、運用者の意図または本発明が属する技術分野の慣例などによって異なり得る。よって、本用語に対する定義は本明細書全般にわたる内容に基づいて下されるべきである。
【００１４】
以下、本発明による好ましい実施例を添付した図面を参照して詳細に説明する。
【００１５】
図１は、本発明による感性ＱＲコードを利用した個人向けコンテンツ提供システムを説明するための概念図である。図１を参照すると、本発明による感性ＱＲコードを利用したサービス提供システムはユーザ端末１０、コード発給サーバ２０、サービス端末３０及びデータベース４０を含む。
【００１６】
本発明は大きく有無線ネットワークで連結されたユーザ端末１０とコード発給サーバ２０間の情報の送受信から感性ＱＲコードを生成する過程と、サービス端末３０から前記ＱＲコードに挿入されたユーザの感性情報を抽出し、データベース４０を検索して該当感性情報に対応する個人向けコンテンツを提供する過程に分けられる。本発明でコンテンツは書籍、音楽、映画、ファッション、グルメなどの商品及び各種サービスを含み、このうち一つ以上に関するお勧めリストを提供する。
【００１７】
まず、ユーザはユーザ端末１０を介してコード発給サーバ２０が提供するウェブサイトにアクセスするかまたはアプリケーションを実行してユーザ自らの現在の心理または気分の程度を示す指標（以下、自己表現指標）を入力して伝送し、コード発給サーバ２０は伝送された自己表現指標に基づいて感性指数を算出し、前記感性指数が挿入されたＱＲコードを生成してユーザ端末１０に提供する。
【００１８】
すると、ユーザは提供されたＱＲコードを図書館、書店、百貨店、映画館などに設置されたサービス端末３０に認識させるが、サービス端末３０は認識されたＱＲコードから感性指数を抽出しそれに対応するお勧めコンテンツリスト、即ち映画、書籍などのリストをデータベース４０から検索してディスプレーするかそれに関するサービスを提供する。
【００１９】
それによって、ユーザはコンテンツの選択に関する悩みが減り、自らの最近の気分や心理状態に最適化されたコンテンツを選択することでより満足的な余暇製作を楽しむことができ、理性及び感性を癒すことができる。
【００２０】
ユーザ端末１０はネットワークを介して遠隔地のサーバにアクセスするか、他の端末及びサーバと連結可能なコンピュータや携帯用端末機、テレビなどで具現される。ここで、コンピュータは例えばウェブブラウザ（ＷＥＢ  Ｂｒｏｗｓｅｒ）が搭載されたノートブックＰＣ、デスクトップ（ｄｅｓｋｔｏｐ）、ラップトップ（ｌａｐｔｏｐ）などを含み、携帯用端末機は例えば形態性と移動性が保障される無線通信装置であって、スマートフォーンやタブレットＰＣなどのようなあらゆる種類のハンドヘルド（Ｈａｎｄｈｅｌｄ）基盤の無線通信装置を含む。
【００２１】
ネットワークは一般にインターネット網を意味するが、その他のネットワーク網、例えばＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＰＳＴＮ（Ｐｕｂｌｉｃ  Ｓｗｉｔｃｈｅｄ  Ｔｅｌｅｐｈｏｎｅ  Ｎｅｔｗｏｒｋ）、ＰＳＤＮ（Ｐｕｂｌｉｃ  Ｓｗｉｔｃｈｅｄ  Ｄａｔａ  Ｎｅｔｗｏｒｋ）、ケーブルテレビ網、無線通信網などももちろん可能である。
【００２２】
本発明において、自己表現指標はユーザの心理または気分の程度を示す指標として多様な方法で入力されるが、自己表現指標は色と点数で表現される。そのためにコード発給サーバ２０が提供するウェブサイトまたはアプリケーションは自己表現指標を入力するためのグラフィックユーザインタフェース（ＧＵＩ）を提供する。
【００２３】
一例として、ユーザはマウス、キーボード、ディスプレータッチなどを利用してユーザ端末１０の画面上に現れた赤色、黄色、緑色、青色、藍色、紫色、黒色などの色のうちいずれか一つを選択して自らの心理や気分を表現してもよく、０点から１００点までの点数のうちから現在の心理または気分を表現してもよい。
一般に、色は人の完成と共に心理状態を分析する道具として使用されるが、例えば赤色は活発な反面感情のメリハリが激しい状態で選択され、黄色は冒険を楽しむ、自己中心的人によって選択される。
【００２４】
図２は、本発明によるシステムの細部構成を示すブロック図である。以下、図２を参照して発給サーバ２０、サービス端末３０及びデータベース４０について詳細に説明する。
【００２５】
コード発給サーバ２０は情報収集部２２、指数算出部２４、コード生成部２６及び貯蔵部２８を含んで構成され、ユーザから入力された自己表現指標に基づいて感性指数を算出し、前記感性指数が挿入されたＱＲコードを生成してユーザ端末１０に提供する。
【００２６】
情報収集部２２はユーザ端末１０からユーザの現在の心理または気分状態を示す自己表現指標を入力されて貯蔵部２８に貯蔵管理する。自己表現指標を入力されるためにユーザに提供するインタフェースは一般にコンピュータやモバイル装置に設置されたウェブブラウザを介してウェブサイトまたはアプリケーション（ａｐｐｌｉｃａｔｉｏｎ）であるが、それに限らずに自己表現指標をユーザから入力されてネットワークを介してコード発給サーバ２０に伝送するものであればその形態を制限しない。
【００２７】
ユーザ端末１０から自己表現指標が入力されて伝送された情報収集部２２は周期的にまたはリアルタイムに貯蔵部２８を更新し、そのような過程によって貯蔵部２８に自己表現指標を貯蔵するか外部の要請などによって修正してもよい。
【００２８】
また、ユーザから周期的に自己表現指標を入力されるために情報収集部２２はアラーム機能を備えて予め設定された時間にユーザ端末１０に自己表現指標の入力を要請するアラームを伝送する。
【００２９】
指数算出部２４は情報収集部２２から収集されて貯蔵部２６に貯蔵された自己表現指標に基づいてユーザの要請による一定期間に対する感性指数を算出する。
【００３０】
ユーザはコード発給サーバ２０にアクセスして１週、１ヶ月、６ヶ月、１年などの期間を決めてＱＲコードの発給を要請するが、それによって指数算出部２４はユーザが要請した機関の間の自己表現指標を貯蔵部２６から抽出しデータ処理して貯蔵し、それに基づいて感性指数を算出する。
【００３１】
感性指数はユーザの気分及び心理状態を反映するために該当機関中の自己表現指標で入力された色または点数情報をて統計処理して算出されるものであり、多様な方法で算出される。
【００３２】
一例として、ユーザが該当期間中に最も多く選択された色を代表色とし、入力された点数の平均値を組み合わせてＲ７４、Ｇ５６などで感性指数を算出する。ここでＲ、Ｇは赤色、緑色を示す代表色であり、７４、５６は点数の平均値である。
【００３３】
他の例として、色の場合には代表色と共に２番目に多く選択された色を補助色にして組み合わせてもよく、点数の場合には標準偏差値を更に含んでＲＢ７４１２、ＧＹ５６０７などに指数化してもよい。ここでＢ、Ｙは青色、黄色を示す補助色であり、１２、０７は標準偏差値である。
【００３４】
コード生成部２６は指数算出部２４から算出された感性指数情報が挿入されたＱＲコードを生成し、それをユーザ端末１０に提供する。それによってユーザは発給されたＱＲコードをダウンロードしてユーザ端末１０に貯蔵するか出力して多用な場所に設置されたサービス端末３０で認識させることで、完成しウうに対応するコンテンツリストを提供される。
【００３５】
また、ＱＲコードにはコード発給サーバ２０のアクセスアドレスまたはデータベース４０のアクセスアドレスが挿入され、サービス端末３０はＱＲコードの認識に応じて発給サーバにアクセスし該当機関の感性指数の算出根拠となる自己表現指標の内訳を要請する。
サービス端末はコード認識部３２とリスト提供部３４を含んで構成されて映画館、書店などに設置されたキオスクなどに具現され、ユーザが提示したＱＲコードを認識して挿入された完成指数を抽出し、データベース４０で前記感性指数に対応するお勧めコンテンツリストを検索してユーザに提供する。
【００３６】
コード認識部３２はユーザから提示されたＱＲコードを撮影し、撮影されたイメージを分析してＱＲコードに挿入された情報を獲得する。上述したように、挿入された情報は該当ユーザの最近一定期間の気分及び心理状態を示す感性指数が含まれ、コード発給サーバ２０のアクセスアドレスまたはデータベース４０のアクセスアドレスに関する情報が含まれる。挿入された情報が獲得されると、コード認識部３２は獲得した挿入情報をリスト提供部３４に提供する。
【００３７】
リスト提供部３４はコード認識部３２が獲得した挿入情報内の感性指数を抽出し、データベース４０で前記感性指数に対応するお勧めコンテンツリストを検索してディスプレー部（図示せず）などを介してユーザに提供する。
【００３８】
本実施例ではデータベース４０はサービス端末３０と直接連結されてリスト提供部３４の要請に応答して情報を提供するように具現されることを仮定しているが、これとは異なって前記データベース４０がコード発給サーバ２０で管理されてもよく、この場合にはリスト提供部３４はＱＲコードに挿入されたコード発給サーバ２０のアクセス情報を利用してコード発給サーバ２とアクセスし感性指数情報を伝送して、それに対応するお勧めコンテンツリストを要請し受信するようになる。
【００３９】
データベース４０には前記感性指数に対応して提供されるお勧めコンテンツリストが貯蔵され、コード発給サーバ２０または別途のサーバ（図示せず）を介して管理される。
詳しくは、データベース４０はユーザから入力される自己表現指標として色と点数をカテゴリーにして該当コンテンツを分類する。
【００４０】
一例として、色の場合には入力可能な色である赤色、オレンジ色、黄色、緑色、青色、藍色、紫色、黒色でカテゴリーを分けてそれぞれの色が示す心理イ状態に応じてコンテンツを分類し、点数の場合には０点から１００点を一定点数単位で区間を分けてそれぞれの点数帯のユーザに適合したコンテンツを分類して貯蔵する。
【００４１】
図３及び図４は、本発明の実施例による感性ＱＲコードを利用した個人向けコンテンツ提供過程を示すフローチャートである。
【００４２】
本発明による感性ＱＲコードを利用した個人向けコンテンツ提供方法は、大きくはユーザ端末１０とコード発給サーバ２０の間の感性ＱＲコード発給ステップＳ１００と、発給されたＱＲコードの使用によるサービス端末３０とデータベース４０の間のコンテンツ提供ステップＳ２００に分けられる。
【００４３】
まず、図３を参照してＳ１００を説明する。まず、ユーザはＰＣまたはスマートフォンなどのユーザ端末１０を介してコード発給サーバ２０が提供するウェイブサイトにアクセスするか設置されたアプリケーションを実行するＳ１１０。
【００４４】
ウェブサイトまたはアプリケーションはユーザから自己表現指標を入力されるためのグラフィックユーザインタフェース（ＧＵＩ）を提供し、ユーザはマウス、キーボードまたはディスプレータッチなどを介して自己表現指標を入力するＳ１２０。
【００４５】
自己表現指標の入力はユーザが任意に設定して望みの時間及び回数に入力し、コード発給サーバ２０はユーザに自己表現指標の入力を思い出させるために予め設定された時間ごとにユーザ端末１０にアラームを伝送するＳ１０５。
【００４６】
自己表現指標はユーザの入力当時の気分や心理状態を示す指標であり、上述したように色と点数で表現されるが、その他の具体的な内容は省略する。
【００４７】
入力された自己表現指標はコード発給サーバ２０でデータ処理され、ユーザ及び入力日付別に貯蔵管理されるＳ１３０。
【００４８】
次に、ユーザはユーザ端末１０を介してコード発給サーバ２０に一定期間を指定して該当機関中の感性ＱＲコードの発給を要請するＳ１４０。期間指定は１週、１ヶ月、６ヶ月、１年などユーザの望みの期間を選択して貯蔵し、感性ＱＲコードには該当期間中の自己表現指標の統計を出して指数化した感性指数情報が含まれる。
【００４９】
コード発給サーバ２０でＱＲコードの発給を要請されると、まず貯蔵部に貯蔵された該当期間中の自己表現指標を抽出して、色及び／または点数などについて統計処理を行うＳ１５０。
【００５０】
例えば、色の場合には該当期間中にユーザが最も多く選択した色の順に並べてそれぞれの色が選択された回数や割合などを計算する。点数の場合には総計点数と平均、そして標準偏差などを計算する。
【００５１】
このような統計処理が終わると、計算された統計資料に基づいて感性指数を算出するＳ１６０。感性指数は多様な方法で算出さえるが、上述したように選択された色の最頻値と平均値を組み合わせた文字または数字などで示される。例えば、ＲＢ７４１２、ＧＹ５６０７などにコーディングされる際、Ｒ（ｒｅｄ）、Ｇ（ｇｒｅｅｎ）は最も多く選択された色を、Ｂ（ｂｌｕｅ）、Ｙ（ｙｅｌｌｏｗ）は２番目に多く選択された色を、数字の最初の２桁の７４、５６は平均値を、後の２桁の１２、０７は標準偏差を示す。
【００５２】
感性指数が算出されると、コード発給サーバ２０は算出された感性指数をコーディングしＱＲコードを生成してユーザ端末１０に伝送するＳ１７０。ユーザは伝送されたＱＲコードをダウンロードしてユーザ端末１０貯蔵するか出力して多用なサービス端末３０で使用するＳ１８０。
【００５３】
次に、図４を参照してＳ２００を説明する。ユーザは自らの端末１０にディスプレーされるか出力されたＱＲコードを端末３０に接近する。サービス端末２０は映画館、書店などに設置されたキオスクなどであってもよく、その他のデータベース４０を備えるかデータベース４０と通信して情報検索及びデータの送受信が可能な電子機器であればいかなる形態に具現してもよい。
【００５４】
ＱＲコードが接近されるとサービス端末３０はＱＲコードを撮影し、撮影されたイメージを分析してＱＲコードに挿入されている挿入情報を獲得するＳ２１０。上述したように、挿入情報はユーザの一定期間の自己表現指標を統計処理して算出された感性指数とデータベース４０のアクセスアドレスに関する情報が含まれる。
【００５５】
次に、サービス端末３０は獲得した挿入情報内に含まれた感性指数を抽出し、前記感性指数を有するユーザに適合したお勧めコンテンツリストをデータベースから検索するＳ２２０。
【００５６】
データベース４０は上述したようにサービス端末内に具備され、遠隔の別途サーバで管理され、自己表現指標として入力された色及び点数などをカテゴリーにしてそれぞれに相応するコンテンツが分類されて貯蔵される。
【００５７】
コンテンツとしては書籍、音楽、映画、ファッション、グルメなど多様な商品及びサービスであってもよく、例えばサービス端末３０が図書館に設置されたキオスクである場合を仮定すると、データベース４０には所蔵されている全体の書籍リストを自己表現指標として入力可能な色である赤色、黄色、青色などのカテゴリー別に分類して各色の心理に応じてお勧めする書籍のリストが貯蔵される。また、自己表現指標として入力可能な点数が０〜１００点である際、一定点数単位に区間を分けて各点数区間のユーザにお勧めする書籍を分類して貯蔵してもよく、その他標準変化などを基準に分類されて貯蔵されてもよい。
【００５８】
そうしてＱＲコードから抽出された感性指数が例えばＲＢ７１４２とすると、サービス端末１０はデータベース４０を検索してまずＲ、即ち赤色に対応する書籍を抽出し、更にそのうちから平均７０〜８０点区間に対応する書籍のみを選択して該当リストを提供する。
【００５９】
それによって、ユーザは最近の心理及び気分状態に合わせたコンテンツを勧められることでより満足度の高いコンテンツを楽しむことができる。
【００６０】
このように本発明は限定された実施例と図面によって説明されたが、本発明が前記実施例に限ることはなく、本発明の属する分野の通常の知識を有する者であればこのような記載から多様な修正及び変更が可能である。よって、本発明の範囲は説明された実施例に限って決められてはならず、後述する特許請求の範囲だけでなくこの特許請求の範囲と均等なものによって決められるべきである。
【符号の説明】
【００６１】
１０：ユーザ端末
２０：コード発給サーバ
２２：情報収集部
２４：指数算出部
２６：コード生成部
２８：貯蔵部
３０：サービス端末
３２：コード認識部
２４：リスト提供部
４０：データベース
【図２】
2017504131.tif 000003
【図３】
2017504131.tif 000004
【図４】
2017504131.tif 000005
【図１】
2017504131.tif 000006
【国際調査報告】
2017504131.tif 000007
2017504131.tif 000008
2017504131.tif 000009
2017504131.tif 000010